(57)【特許請求の範囲】
【請求項１】
表面に薄膜トランジスタによって駆動される複数の画素がマトリクス状に配置されてなる画素部、及び、前記画素部の周辺に配置され、前記画素を駆動する駆動回路部を有するアレイ基板と、前記アレイ基板の裏面部に配置された光源とを備え、前記駆動回路部は前記アレイ基板の外縁部に沿って配置されるトランスファ・配線部を有する第１駆動部と、この第１駆動部の内側に配置される薄膜トランジスタを有するシフトレジスタ、サンプリングスイッチ及びバッファを有する第２駆動部とでなる液晶表示装置において、
前記第１駆動部と第２駆動部との間に、前記アレイ基板の板面に対して垂直な仮想の境界を設定し、前記光源を前記境界の外側に配置したことを特徴とする液晶表示装置。
【発明の詳細な説明】
【０００１】
【発明の属する技術分野】
本発明は液晶表示装置に係り、特に、面状光源を形成する導光板の一辺又は２辺に配置される冷陰極蛍光管等の光源の配置に関する。
【０００２】
【従来の技術】
従来の一般的な液晶表示装置は、図４（ａ）に一部を破断した斜視図を、図４（ｂ）にその縦断面図をそれぞれ示すように、透明な絶縁基板上に薄膜トランジスタ（Thin Film Transistor：以下、ＴＦＴと略称する）により駆動される複数の画素がマトリクス状に配置されてなる画素部１１、及び、この画素部１１を駆動するためにその下部に配置された駆動回路部１２、左右両側に配置された駆動回路部１３，１４を有するアレイ基板１０と、このアレイ基板１０に対向配置され、透明な絶縁基板上に共通電極が形成された対向基板１５と、これらの基板間に挟持された液晶組成物、すなわち、液晶１６とを備えている。アレイ基板１０の背面には、面状光源を形成するための図示省略の導光板とその一辺又は二辺に配置される冷陰極蛍光管等の光源１７が設けられている。
【０００３】
【発明が解決しようとする課題】
上述した駆動回路部１２はアレイ基板１０の表示画面の下部に細長く形成され、光源１７がこれに平行に装着されると共に、前記アレイ基板の板面に対して垂直な方向に重なった位置に装着されている。従って、駆動回路部１２は光源１７の発熱の影響を受けやすく、駆動回路部１２を構成するＴＦＴの特性が変化し、画質を劣化させる虞れがあった。
【０００４】
本発明は上記の問題点を解決するためになされたもので、光源の発熱の影響を受け難くすることによって画質の劣化を未然に防止することのできる液晶表示装置を提供することを目的とする。
【０００５】
【課題を解決するための手段】
本発明の一態様では、表面に薄膜トランジスタによって駆動される複数の画素がマトリクス状に配置されてなる画素部、及び、前記画素部の周辺に配置され、前記画素を駆動する駆動回路部を有するアレイ基板と、前記アレイ基板の裏面部に配置された光源とを備え、前記駆動回路部は前記アレイ基板の外縁部に沿って配置されるトランスファ・配線部を有する第１駆動部と、この第１駆動部の内側に配置される薄膜トランジスタを有するシフトレジスタ、サンプリングスイッチ及びバッファを有する第２駆動部とでなる液晶表示装置において、
前記第１駆動部と第２駆動部との間に、前記アレイ基板の板面に対して垂直な仮想の境界を設定し、前記光源を前記境界の外側に配置したことを特徴とする液晶表示装置が提供される。
【０００６】
請求項２に係る発明は、
表面に薄膜トランジスタによって駆動される複数の画素がマトリクス状に配置されてなる画素部、及び、画素部の周辺に配置され、画素を駆動する駆動回路部を有するアレイ基板と、アレイ基板の裏面部に配置された光源とを備え、駆動回路部はアレイ基板の外縁部に沿って配置される薄膜トランジスタを含まない第１駆動部と、この第１駆動部の内側に配置される薄膜トランジスタを含む第２駆動部とでなる液晶表示装置において、
第１駆動部と第２駆動部との間に、アレイ基板の板面に対して垂直な仮想の境界を設定し、光源を境界の外側に配置したことを特徴とする。
【０００７】
【発明の実施の形態】
以下、本発明を図面に示す好適な実施形態に基づいて詳細に説明する。
図１は本発明に係る液晶表示装置の第１の実施形態の構成を示す斜視図及び縦断面図であり、図中、従来装置を示す図４と同一の要素には同一の符号を付してその説明を省略する。この実施形態は導光板の一辺に光源１７が配置されている場合の構成例であり、従来装置として示した光源１７の位置をそのままとし、駆動回路部１２のみをアレイ基板１０の下側から上側に移動させた点が従来装置と構成を異にしている。これによって、光源１７の発熱に起因する駆動回路部１２の温度上昇を抑制することができ、その結果、画質の劣化を抑えることができる。
【０００８】
以下、ＴＦＴの特性が温度によってどのように変化するかを説明する。図２（ａ）はＴＦＴの温度とゲートしきい値電圧との関係を示す線図であり、温度が上昇するほどしきい値電圧が低下してリーク電流が流れやすくなる。また、図２  （ｂ）はＴＦＴの温度と移動度との関係を示す線図であり、温度が上昇するほど移動度が低下して電流の立上がり特性を悪くする。
【０００９】
従って、光源１７の発熱による駆動回路部１２の温度上昇はＴＦＴのゲートしきい値電圧の低下と移動度の低下とをもたらし、これらが画素部１１の駆動に影響を与え、結果として画質を劣化させることとなる。
【００１０】
温度上昇による影響は駆動回路部１２や駆動回路部１３，１４を構成するＴＦＴに限らず、画素部１１を構成するＴＦＴにも悪影響を及ぼすが、図１に示した実施形態によれば、光源１７の発熱に最も影響を受ける駆動回路部１２を光源１７から最も離れたアレイ基板１０の上側に配置したことによって、光源１７の発熱の影響を受け難くして、画質の劣化を防止している。
【００１１】
図３は本発明に係る液晶表示装置の第２の実施形態の構成を示す斜視図及び縦断面図であり、図中、第１の実施形態を示す図１と同一の要素には同一の符号を付してその説明を省略する。この実施形態は導光板の二辺に光源１７が配置されているがために、図１に示した構成を採用し難い場合でも、略同様な効果を得ようとするものである。
【００１２】
一般に、駆動回路部１２はフレキシブル基板などを接続する外部接続部と電源配線とでなり、実際にＴＦＴを含まない第１駆動部としてのトランスファ・配線部１２Ａと、その内側に配置され、シフトレジスタ、サンプリングスイッチ及びバッファとでなり、ＴＦＴを構成要素とする第２駆動部としてのバッファ・スイッチ部１２Ｂとに大別することができる。本実施形態はトランスファ・配線部１２Ａとバッファ・スイッチ部１２Ｂとの間に、アレイ基板１０の板面と直交する仮想の境界Ｙを設定し、光源１７を境界Ｙよりも外側の領域Ｚに配置したものである。
【００１３】
かかる構成によれば、光源１７の発熱によってアレイ基板１０の端部の温度が上昇したとしても、トランスファ・配線部１２ＡはＴＦＴを含まないので実質的な影響はなく、ＴＦＴを構成要素とするバッファ・スイッチ部１２Ｂは光源１７から離隔しているため図４に示した従来装置と比較して間接的な伝熱に止まることから、光源の発熱の影響を受け難く、これによって画質の劣化を未然に防止することができる。
【００１４】
なお、第１の実施形態ではアレイ基板の左右の両側に駆動回路部を有し、上側又は下側に駆動回路部と光源とを有するものについて説明したが、アレイ基板の上下の両側に駆動回路部を、右側又は左側にそれぞれ駆動回路部と光源とを有するものについても、駆動回路部と光源とを左右に分離配置すればよく、要は、駆動回路部と光源とをアレイ基板の板面に対して垂直な方向に重ならない位置に配置することによって同様な効果が得られる。
【００１５】
また、第２の実施形態ではアレイ基板の左右の両側に駆動回路部を、下側に駆動回路部及び光源を備えるものについて説明したが、アレイ基板の左右の両側と上下の両側とにそれぞれ駆動回路部を備えるものであっても、要は、アレイ基板の外縁部に沿って配置される薄膜トランジスタを含まない駆動回路部の第１駆動部と、この第１駆動部の内側に配置される薄膜トランジスタを含む駆動回路部の第２駆動部との間に、アレイ基板の板面に対して垂直な仮想の境界を設定し、光源を境界の外側に配置することによって同様な効果が得られる。
【００１６】
また、第２の実施形態は面状光源を形成する導光板の一辺に光源が配置される場合について説明したが、本発明はこれに限定されるものではなく、導光板の二辺に光源が配置されたものにも適用可能である。
【００１７】
【発明の効果】
以上の説明によって明らかなように、本発明によれば、光源の発熱の影響を受け難くすることによって画質の劣化を未然に防止することのできる液晶表示装置が得られる。
【図面の簡単な説明】
【図１】本発明に係る液晶表示装置の第１の実施形態の構成を示す斜視図及び縦断面図。
【図２】図１に示した第１の実施形態の動作を説明するために、薄膜トランジスタの温度としきい値、並びに温度と移動度との関係をそれぞれ示す線図。
【図３】本発明に係る液晶表示装置の第２の実施形態の構成を示す斜視図及び縦断面図。
【図４】従来の液晶表示装置の構成を示す斜視図及び縦断面図。
【符号の説明】
１０  アレイ基板
１１  画素部
１２，１３，１４  駆動回路部
１２Ａ  トランスファ・配線部
１２Ｂ  バッファ・スイッチ部
１５  対向基板
１６  液晶
１７  光源
【図１】
0004363696.tif 000002
【図２】
0004363696.tif 000003
【図３】
0004363696.tif 000004
【図４】
0004363696.tif 000005